(57)【要約】【目的】携行して持ち歩きが必要な大型札入れ等のほか、貴重品の程度に応じて分別収納でき、安全、確実に携行できる被服のポケットを提供する。【解決手段】身頃基布に部分的な横向きの切れ目を入れ、第一開口部を備えた表部ポケットを設け、さらに内側に第二開口部に連通しスライドファスナ−片を装着した内部ポケットを形成し、かつ各袋布を底部及び両側縁で共に一体として縫着する。【効果】貴重品の程度又は大きさ等を適宜勘案し、特に必要な貴重品等を内部ポケットに収納し、かつファスナ−を開閉して安全、確実に携行できる。外観デザイン上も従来品と変わらず、頻繁な収納、取出しでも型崩れし難い。【選択図】  図１
2006009240.tif 000002
【特許請求の範囲】
【請求項１】
身頃基布の表生地に部分的な横向きの切れ目を入れて上生地部と下生地部に分割し、上生地部の下端側縁部と下生地部の上端領域で重合させて縫着した第一袋布の上端口縁部の玉縁とを遊離させてなる第一開口部を備え、該表生地の裏面側に重合させた上部袋布の内側に縫着した表生地と同じ向当布と、第二袋布の上部に縫着した中当布の上端口縁部とを遊離させてなる第二開口部を備えた表部ポケットを形成すると共に、前記表部ポケット袋部の内側には前記向当布及びその裏側に取り付けたスライドファスナ−片と、前記中当布の上端口縁部及びその裏側に取り付けたスライドファスナ−片を開閉自在とした挿入口を備え、内側に裏当布を重合させて縫着した第三袋布とからなり、内部ポケット袋部には上部収納空間を設けて表部ポケット袋部より大きく併設し貴重品の程度或いは大きさに応じて表部ポケット袋部と分別収納を可能とした内部ポケット袋部を形成し、前記第一袋布と第二袋布と第三袋布の底部及び両側縁の位置で各袋布を一体に縫着してなることを特徴とする被服のポケット。
【発明の詳細な説明】
【技術分野】
【０００１】
本発明は被服のポケットに関し、表部ポケットより大きく内部ポケットを併設し、貴重品の程度或いは大きさに応じて安全、確実に分別収納でき、ポケット開口部を含め外観体裁の見栄えよく、並びに出し入れ操作の便宜性を備えた被服のポケットの改良に関する。
【背景技術】
【０００２】
従来、被服に形成せられるポケットは、手回り品を身につけておくために衣服に付けられたのが始まりで、衣服の外側からは見えないような場所に付けられたが、作業衣等の実用性のはっきりしたものは外側にはり付けられたものも多い。一方、フォ−マルな衣服では隠して付けられるものが多く、ポケットはあくまで実用性の強いものであったが、服飾の変遷に伴って実用性と併せ、装飾的な効果を高める役割も果たすようになっている。
【特許文献１】特開昭６０−１８１３０６号公報  上記文献には、「内ポケッと奥ポケットが連設された被服類のポケット構造が開示されており、内フラップで覆われた奥ポケット口を有する奥ポケットを設けた構成」が開示されている。従って、あくまで盗難防止のための構成であって、通常片手で取り扱うことの多い手さぐり取り出し操作では大きな妨げとなる構成であり、奥ポケット口にフラップを取り付けた構成は使用上不便である。
【特許文献２】実公昭和３９−８２０４号公報  上記文献には、「衣服のポケットの蓋取り付け部近傍部からポケットの奥の方に向かって舌片を連設させ、この舌片に覆われた位置にチャックを設けて、このチャックを口として別のポケットを連設させたポケット」が開示されている。しかし、チャックを口とし別のポケットを連設させた構成である為、内ポケットの上端縁での縫着される為、ポケット口の有効寸法が狭隘とならざるを得ず、盗難防止が期待されるものの手さぐり取り出し操作の大きな妨げとなる。
【特許文献３】実開昭５９−１００８２０号公報  上記文献には、「口布の折り返し幅を大きくとることにより、両玉縁を互いに重なり合わせ、下玉縁の外側に上玉縁が重なり合うよう貫抜きを施してなるズボンのポケット」が開示されている。しかし、その全体構成からみても、いわゆる二重ポケットの構成てはなく、小銭が外へ落下しないことを要旨としているが、玉縁は下玉縁のみで上玉縁を突き合わせた構成ではなく、いわゆる下片玉の構造である。
【発明の開示】
【発明が解決しようとする課題】
【０００３】
被服のポケットでは、大型の札入れ等を収納すると、ポケット外に露出して不体裁で盗難、紛失に遭い易く、この為携行物の収納に不便を感ずる欠点があった。さらに、今日ではキャッシュカ−ド類が多用されるようになり盗難、紛失等の事故も多くなっており、従来の大型札入れやパスポ−ト等の貴重品の収納以上に携行での配慮が要求されるようになっている。また、内外国でのビジネス、観光等でも滞在ホテルの備付け金庫等の利用が可能とはいえ、携行が必要な札入れやキャッシュカ−ド等の貴重品は持ち歩かねばならず、特に夏季にあっては一般に上衣を着用しないことも多く、通常、上着の内ポケット等に収納される札入れ、名刺入れ等を、ズボンやスラックスのポケットに入れて持ち歩くことになる為、大型の札入れ等の上部がはみ出し収容しきれなかった。
【０００４】
このため、例えば、ズボンのヒップポケットの袋部を底深とした場合には収納された物品が臀部の位置近傍迄下がり歩き悪くなり、腰掛けるときにはポケットに収納した札入れ等を押し潰すか形を歪め、さらに小物を収納するときは取り出しが不便となる。また、開口部にフラップ等を設けボタン掛けする等の構成においても製作に手数を要し、玉縁部の傷みや緩んだボタン掛けや場合によってはボタンの掛け忘れ等の難点があった。
【０００５】
このような比較的大型となる札入れ等の物品を収納する為の被服のポケットの構造の改良として、例えば実公昭５７−９３６４号公報では、ズボンの後側に帯縫目に一致せしめて忍びポケットの開口部を設け、該開口部の下に間隔を存して後ポケットの開口部を設けると共に、該後ポケットの袋部に前記忍びポケットの開口部上縁に縫着した裏地を重ね合わせて一体に縫着して忍びポケット用の袋部を形成してなるズズボンのポケット、また、出願人においても、実公昭５５−４６７２５号公報では、後身頃のピップポケットの内空部をウエスト帯部にまで達せしめ、該ポケットの開口部をポケット内空部の上端より所要範囲下方に位置せしめたスラックス、特にそのピップポケットの構造の改良につき提案している。
【０００６】
上記のような提案によって、大型の札入れ等がポケット外に露出して盗難、紛失等を防止できるとしても、今日では各種のキャッシュカ−ド類を日常持ち歩く機会が増え、従来の大型札入れやパスポ−ト等と併せ、さらに携行での安全性の確保が必要となってきており、特に夏季の上着を着用しない場合では尚更、格別の携行所持の確実性が要求されるようになっている。
【０００７】
そして、今日、大型札入れのみならず各種キャッシュカ−ド類の登場とその携行頻度の増加に伴って盗難や紛失等の事故が急増しており、かかる貴重品を持ち歩かねばならない事情に徴し、ポケットの収納物品の貴重程度の差別化と併せ、札入れや旅券、トラベラチェック或いは各種カ−ド等を安全、確実に収納可能で、かつ構造が簡素で縫製容易で、外観デザイン上も嵩張らず美観を損ねず、外観体裁ならびに出し入れ操作の便宜性を備えた被服のポケットが望まれている。
【０００８】
本発明は、身頃基布の表生地に部分的な横向きの切れ目を入れて上生地部と下生地部に分割し、上生地部の下端側縁部と下生地部の上端領域で重合させて縫着した第一袋布の上端口縁部の玉縁とを遊離させてなる第一開口部を備え、該表生地の裏面側に重合させた上部袋布の内側に縫着した表生地と同じ向当布と、第二袋布の上部に縫着した中当布の上端口縁部とを遊離させてなる第二開口部を備えた表部ポケット袋部を形成すると共に、前記表部ポケット袋部の内側には前記向当布及びその裏側に取り付けたスライドファスナ−片と、前記中当布の上端口縁部及びその裏側に取り付けたスライドファスナ−片を開閉自在とした挿入口を備え、内側に裏当布を重合させて縫着した第三袋布とからなり、内部ポケット袋部には上部収納空間を設けて表部ポケット袋部より大きく併設し貴重品の程度或いは大きさに応じて表部ポケット袋部と分別収納を可能とした内部ポケット袋部を形成し、前記第一袋布と第二袋布と第三袋布の底部及び両側縁の位置で各袋布を一体に縫着してなることを特徴とする被服のポケットを提供することを目的とする。
【課題を解決するための手段】
【０００９】
上記の課題を達成する為に、本発明では被服に形成されるポケットにおいて、身頃基布の表生地に部分的な横向きの切れ目を入れて上生地部と下生地部に分割し、上生地部の下端側縁部と下生地部の上端領域で重合させて縫着した第一袋布の上端口縁部の玉縁とを遊離させてなる第一開口部を備え、該表生地の裏面側に重合させた上部袋布の内側に縫着した表生地と同じ向当布と、第二袋布の上部に縫着した中当布の上端口縁部とを遊離させてなる第二開口部を備えた表部ポケット袋部を形成すると共に、前記表部ポケット袋部の内側には前記向当布及びその裏側に取り付けたスライドファスナ−片と、前記中当布の上端口縁部及びその裏側に取り付けたスライドファスナーを開閉自在とした挿入口を備え、内側に裏当布を重合させて縫着した第三袋布袋部とからなり、内部ポケット袋部には上部収納空間を設けて表部ポケット袋部より大きく併設し貴重品の程度或いは大きさに応じて表部ポケットと分別収納を可能とした内部ポケット袋部を形成し、前記第一袋布と第二袋布と第三袋布の底部及び両側端の位置で各袋布を一体に縫着してなる、表部ポケット袋部及び内部ポケット袋部を隣接状態に併設した構成とする。
【発明の効果】
【００１０】
本発明の被服のポケットによれば、例えば大型札入れ又はパスポ−ト、各種キャッシュカ−ド等の携行が必要で、かつ盗難又は紛失の危険の多いと予想される身回品等につき、それぞれの貴重品の程度や大きさに応じて、 適宜分別収納が可能であり、また、その出し入れでも指の引っ掛かりが容易で操作し易い。
【００１１】
また、外観視認上も、 開口部は僅か一個所であり、併せて着用時の臀部形態による開口部の開きも、表部生地と同じ向当布の存在により違和感を解消でき、簡易かつ型崩れし難い構成であり、持ち歩きの必要な貴重品の安全、確実な携行に適している。 
【発明を実施するための最良の形態】
【００１２】
本発明の被服のポケットによれば、（１）上生地部の下端側縁部と第１袋布の上端口縁部の玉縁とを遊離させてなる第一開口部と、表生地の裏面側に重合させた上部袋布の内側に縫着した表生地と同じ向当布と、第二袋布の上部に縫着した中当布の上端縁部とを遊離させてなる第二開口部を備えた表部ポケット袋部、及び（２）該表部ポケット袋部の内側には表生地と同じ向当布の裏側にスライドファスナ−片を開閉自在とした挿入口を備え、（３）内側に裏当布を重合させて縫着した第三袋布とからなり、内部ポケット袋部には上部収納空間を設けて表部ポケット袋部より大きく併設し貴重品の程度或いは大きさに応じて表部ポケット袋部と分別収納を可能とした内部ポケット袋部を形成し、前記袋布の底部及び両側縁いずれかの位置で各袋布を一体に縫着した構成とする。
【００１３】
したがって、本発明の被服のポケットは、表部ポケット袋部と内部ポケット袋部とが併設され、かつ内部ポケット袋部には上部収納空間を設けて表部ポケット袋部より大きく形成し、各ポケット袋布は底部で一体に縫着されているため、貴重品の程度或いは大きさ等を勘案し、特に携行して持ち歩かねばならない大型札入れや各種キャッシュカ−ド類等は内部ポケット袋部に収納し、かつファスナ−を開閉して、安全、確実に携行することができ、また、適宜大型の物品や小物等を分別して収納し携行できるように機能的に働く。
【００１４】
さらに、外観視認上も、本発明では、第一開口部と、表生地の裏面側に第一袋布の下端領域で重合させて縫着した表生地と同じ向当布と、第二袋布の上部に縫着した中当布の上端縁部とを遊離させてなる第二開口部を備えた表部ポケット袋部を形成した為、基布の表生地に部分的な横向きの切れ目を入れた構成で開口部はわずか一箇所であることと併せ、着用時に臀部の湾曲状態に起因しポケット開口部の開きが目立ち易いのを防止し、また、収納物品の出し入れに際しても、指先の引っ掛かりを容易とし、取り出し易く、ファスナ−の開閉操作を含め妨げないように働く。
【００１５】
また、表部ポケット袋部および内部ポケット袋部の底部並びに両側縁の位置で各袋布を一体に縫着している為、構成簡素にして袋部相互の形態安定が図られ、各種物品の分別や収納に便宜なように働く。
【実施例】
【００１６】
以下本発明の実施例を図面に基づいて具体的に説明する。
図１は本発明に係る被服のポケットの一実施例を示す縦断面説明図、図２は本発明に係る被服ポケットの開口部の一部拡大説明図である。
【００１７】
図１及び図２において、本発明に係るポケット本体１は、身頃基布の表生地２に部分的な横向きの切れ目を入れて上生地部と下生地部に分割し、上生地部の下端側縁部と下生地部の上端領域で重合させて縫着した第一袋布の上端口縁部の玉縁４とを遊離させてなる第一開口部５を備え、該表生地２の裏面側に重合させた上部袋布１５の内側に縫着した表生地２と同じ向当布６ａと、第二袋布７の上部に縫着した中当布６ｂの上端口縁部とを遊離させてなる第二開口部９を備えた表部ポケット袋部１２を形成すると共に、前記表部ポケット袋部１２の内側には前記向当布６ａ及びその裏側に取り付けたスライドファスナ−片８ａと、前記中当布６ｂの上端口縁部及びその裏側に取り付けたスライドファスナー片８ｂを開閉自在とした挿入口を備え、内側に裏当布１４を重合させて縫着した第三袋布１１とからなり、内部ポケット袋部１３には上部収納空間を設けて表部ポケット袋部１２より大きく併設し貴重品の程度或いは大きさに応じて表部ポケット袋部１２と分別収納を可能とした内部ポケット袋部１３を形成し、前記第一袋布３と第二袋布７と第三袋布１１の底部１６及び両側端１７の位置で各袋布を一体に縫着してなる、表部ポケット袋部１２及び内部ポケット袋部１３を隣接状態に併設した構成とする。１０は腰裏である。
【００１８】
図２での被服ポケットの開口部の一部拡大説明図において、１２は表部ポケット袋部、１３は内部ポケット袋部、８ａ，８ｂはスライドファスナー片である。
【００１９】
上記のとおり下生地部の上端領域では、下生地部の表生地２と、第一袋布３の上端部を内側に折り返し、上生地部の裏面側で重合させた上部袋布１５に縫着した表生地２と同じ向当布６ａを縫着して形成した表部ポケット袋部１２の玉縁４の上端口縁部とを遊離させてなる第一開口部５を備えた構成とする。さらに該上生地部の裏面側での上部袋布１５に縫着した表生地２と同じ向当布６ａと、第二袋布７の上部に縫着した中当布６ｂの玉縁４とを遊離させてなる第二開口部９を備えた表部ポケット袋部１２を形成した構成とする。      
【００２０】
さらに、該表部ポケット袋部１２の内側には、上生地部の下端領域で重合させて縫着した上部袋布１５に縫着した表生地２と同じ向当布６ａの下端側縁部、及び該向当布６ａの裏側に取付けたスライドファスナ−片８ａ，８ｂと、第二袋布７の上部に縫着した中当布６ｂの玉縁４、及びその裏側に取付けたスライドファスナ−片８ａ，８ｂとからなる第二開口部９を備え、表側に裏当布１４を重合させて縫着した第三袋布１１とからなり、内部ポケットには、上部収納空間を設けて表部ポケットより大きく併設し貴重品の程度或いは大きさに応じて表部ポケットと分別収納を可能とした内部ポケット袋部１３が形成されており、かつ前記各袋布の底部１６、又は両側縁１７のいずれかの位置で第一袋布３、第二袋布７および第三袋布１１のいずれも一体に縫着した構成とする。
【００２１】
上記のように、本発明の被服のポケットでは、第一袋布３の上端口縁部には、ポケット口玉縁布を折り返し縫着した玉縁４が形成されており、上生地部３に重合させた上部袋布１５の裏面側に縫着した表生地と同じ向当布６ａの下端側縁部とを互いに遊離せしめ相対峙した第一開口部５を備えた表部ポケット袋部１２、ならびに表部ポケット袋部１２の内側には、さらにその裏側に取付けたスライドファスナ−８ａ，８ｂと相対峙した第二開口部９を備えた内部ポケット袋部１３からなり、貴重品の程度或いは大きさに応じて、表部ポケット袋部１２と分別収納を可能とした内部ポケット袋部１３が互いに隣接状態として併設した構成とする。さらに、前記各袋布の底部１６、又は両側縁１７のいずれかの位置で第一袋布３、第二袋布７および第三袋布１１のいずれも一体に縫着している為、構成も重合形態で簡素であり、また袋部相互のまとまりよく型崩れし難い。
【００２２】
図１及び図２における実施例の使用法及び機能について説明すると、被服の着用者は、まず、第一開口部５に手を挿入して表部ポケット袋部１２に物品を収納するか、或いはさらに、該第一開口部５と連通する第二開口部９の内側に装着したスライドファスナ−片８ａ，８ｂを開閉し、それぞれの貴重品の程度、或いは大型又は小物などに応じて、内部ポケット袋部１３又は表部ポケット袋部１２を適宜選択し、収納することができる機能的な構成となっている。  また、外観視認上も、開口部はわずか一箇所であり、着用時の臀部形態によるポケット開口部の開きも垂設した表生地２と同じ向当布６ａの存在により目立ち難く、さらに物品の出し入れも指先の引っ掛かりを容易とし、大きさ等の違った各種物品の分別や収納でも操作し易いように機能性を発揮する。
【００２３】
以下、本発明の被服のポケットの変形例について説明する。
【００２４】
前記実施例で説明した被服のポケットで、第二開口部９の構成を互いに上下反対位置に形成した構成とする。
【００２５】
また、前記実施例で説明した被服のポケットにおいて、該スライドファスナ−片８ａ，８ｂが、第一開口部５と垂直線上の上端箇所に合わせた位置とするように構成する。
【００２６】
表生地２の下端側縁部の近傍箇所に、第一開口部５を隠蔽状態とし、開閉操作するフラップ付、若しくは釦付の構成とする。
【００２７】
また、必要により、内部ポケットの第二開口部９に取り付けたスライドファスナ−片８ａ，８ｂに代え、釦止め若しくは面ファスナ−による係合離脱が可能な構成とする。
【００２８】
なお、上記では下衣のズボン、スラックス等に適用した一実施例を示したが、本発明は上記した実施例に限定されるものではなく、上衣にも適用することもでき、また、本発明の要旨を逸脱しない範囲の設計変更等は本発明に含まれる。
【図面の簡単な説明】
【００２９】
【図１】本発明に係る被服のポケットの一実施例を示す縦断面説明図である。
【図２】本発明に係る被服のポケットの開口部の一部拡大説明図である。
【符号の説明】
【００３０】
１    ポケット本体
２    表生地
３    第一袋布
４    玉縁
５    第一開口部
６ａ  向当布
６ｂ  中当布
７    第二袋布
８ａ  スライドファスナー片
８ｂ  スライドファスナー片
９    第二開口部
１０    腰裏
１１    第三袋布
１２    表部ポケット袋部
１３    内部ポケット袋部
１４    裏当布
１５    上部袋布
１６    底部
１７    両側縁
【図１】
2006009240.tif 000003
【図２】
2006009240.tif 000004